(57)【要約】【課題】撮影目的に応じて異なる感度の撮像素子を切り換えて撮影する。【解決手段】カメラは、それぞれが被写体光に応じた撮像信号を出力する少なくとも２つの撮像素子１２、１３と、２つの撮像素子１２、１３を選択する際の選択条件を判定する判定手段２０と、判定手段２０の判定結果に基づいて、撮像素子１２、１３のいずれか一方を選択する選択手段２０とを備えることを特徴とするカメラ。【選択図】図２
2008042806.tif 000002
【特許請求の範囲】
【請求項１】
それぞれが被写体光に応じた撮像信号を出力する少なくとも２つの撮像素子と、
前記２つの撮像素子を選択する際の選択条件を判定する判定手段と、
前記判定手段の判定結果に基づいて、前記撮像素子のいずれか一方を選択する選択手段とを備えることを特徴とするカメラ。
【請求項２】
請求項１に記載のカメラにおいて、
前記選択手段により選択された撮像素子の調整値を読み込む読込手段をさらに備えることを特徴とするカメラ。
【請求項３】
請求項２に記載のカメラにおいて、
前記読込手段により読み込まれた前記調整値により、選択された撮像素子を用いて行なう撮影の条件を設定する撮影条件設定手段をさらに備えることを特徴とするカメラ。
【請求項４】
請求項１に記載のカメラにおいて、
前記撮像素子を選択した後、その選択された撮像素子を用いて行なう撮影の条件を設定する撮影条件設定手段をさらに備えることを特徴とするカメラ。
【請求項５】
それぞれが被写体光に応じた撮像信号を出力する少なくとも２つの撮像素子を交換可能に保持する保持手段と、
前記撮像素子を選択する際の選択条件を判定する判定手段と、
前記判定手段の判定結果に基づいて、前記撮像素子の交換を促す旨、もしくは交換の指標を報知する報知手段とを備えることを特徴とするカメラ。
【請求項６】
請求項５に記載のカメラにおいて、
前記報知手段は、撮像素子交換を促すメッセージを表示もしくは音声出力することを特徴とするカメラ。
【請求項７】
請求項６に記載のカメラにおいて、
前記報知手段は、撮像素子交換の指標として、撮像感度に起因した情報を表示することを特徴とするカメラ。
【請求項８】
請求項１乃至７のいずれか一項に記載のカメラにおいて、
前記判定手段は、前記撮像素子で撮像した複数枚の画像に基づいて前記被写体が動体か否かを判定することを特徴とするカメラ。
【請求項９】
請求項１乃至７のいずれか一項に記載のカメラにおいて、
前記判定手段は、モード設定手段で設定されている撮影モードを判定することを特徴とするカメラ。
【請求項１０】
請求項１乃至７のいずれか一項に記載のカメラにおいて、
前記判定手段は、手振れ検出手段の検出結果に基づいて手振れが発生しているか否かを判定することを特徴とするカメラ。
【請求項１１】
請求項１乃至７のいずれか一項に記載のカメラにおいて、
前記判定手段は、輝度検出手段の検出結果に基づいて輝度が所定値未満の被写体か否かを判定することを特徴とするカメラ。
【請求項１２】
請求項１乃至１１のいずれか一項に記載のカメラにおいて、
前記撮像素子の一方の感度は他方の撮像素子の感度よりも高い感度であることを特徴とするカメラ。
【発明の詳細な説明】
【技術分野】
【０００１】
本発明は、撮像素子の選択条件に応じて撮像素子を選択するカメラに関する。
【背景技術】
【０００２】
撮像素子が故障した場合や、高性能の撮像素子へ交換することを目的として、撮像素子が交換可能なカメラが知られている（たとえば、特許文献１）。
【特許文献１】特開２００３−４６８２０号公報
【発明の開示】
【発明が解決しようとする課題】
【０００３】
しかしながら、撮影目的に応じて異なる感度の撮像素子を切り換えて撮影することができないという問題がある。
【課題を解決するための手段】
【０００４】
請求項１の発明によるカメラは、それぞれが被写体光に応じた撮像信号を出力する少なくとも２つの撮像素子と、２つの撮像素子を選択する際の選択条件を判定する判定手段と、判定手段の判定結果に基づいて、撮像素子のいずれか一方を選択する選択手段とを備えることを特徴とする。
請求項２に記載の発明は、請求項１に記載のカメラにおいて、選択手段により選択された撮像素子の調整値を読み込む読込手段をさらに備えることを特徴とする。
請求項３に記載の発明は、請求項２に記載のカメラにおいて、読込手段により読み込まれた調整値により、選択された撮像素子を用いて行なう撮影の条件を設定する撮影条件設定手段をさらに備えることを特徴とする。
請求項４に記載の発明は、請求項１に記載のカメラにおいて、撮像素子を選択した後、その選択された撮像素子を用いて行なう撮影の条件を設定する撮影条件設定手段をさらに備えることを特徴とする。
請求項５の発明によるカメラは、それぞれが被写体光に応じた撮像信号を出力する少なくとも２つの撮像素子を交換可能に保持する保持手段と、撮像素子を選択する際の選択条件を判定する判定手段と、判定手段の判定結果に基づいて、撮像素子の交換を促す旨、もしくは交換の指標を報知する報知手段とを備えることを特徴とする。
請求項６に記載の発明は、請求項５に記載のカメラにおいて、報知手段は、撮像素子交換を促すメッセージを表示もしくは音声出力することを特徴とする。
請求項７に記載の発明は、請求項６に記載のカメラにおいて、報知手段は、撮像素子交換の指標として、撮像感度に起因した情報を表示することを特徴とする。
請求項８に記載の発明は、請求項１乃至７のいずれか一項に記載のカメラにおいて、判定手段は、撮像素子で撮像した複数枚の画像に基づいて被写体が動体か否かを判定することを特徴とする。
請求項９に記載の発明は、請求項１乃至７のいずれか一項に記載のカメラにおいて、判定手段は、モード設定手段で設定されている撮影モードを判定することを特徴とする。
請求項１０に記載の発明は、請求項１乃至７のいずれか一項に記載のカメラにおいて、判定手段は、手振れ検出手段の検出結果に基づいて手振れが発生しているか否かを判定することを特徴とする。
請求項１１に記載の発明は、請求項１乃至７のいずれか一項に記載のカメラにおいて、判定手段は、輝度検出手段の検出結果に基づいて輝度が所定値未満の被写体か否かを判定することを特徴とする。
請求項１２に記載の発明は、請求項１乃至１１のいずれか一項に記載のカメラにおいて、撮像素子の一方の感度は他方の撮像素子の感度よりも高い感度であることを特徴とする。
【発明の効果】
【０００５】
本発明によれば、撮像素子を選択する際の選択条件の判定結果に基づいて、少なくとも２つの撮像素子のうちいずれかに切り換えて撮影を行なうことができる。
【発明を実施するための最良の形態】
【０００６】
−第一の実施形態−
図１(ａ)は第一の実施の形態のデジタルカメラの前面斜視図、図１(ｂ)は背面斜視図である。カメラ本体１には撮影レンズ２が取り付けられている。カメラ本体１の上面には電源スイッチ３と、レリーズボタン４と、撮影モードの設定操作を行うモードダイヤル６とが設けられている。撮影モードには、オート撮影モード、スポーツモード、ポートレートモード、夜景ポートレートモード、風景モードなどが含まれる。また、カメラ本体１の背面には、図１（ｂ）に示すように、液晶モニタ２３が設けられている。
【０００７】
図２は第一の実施の形態のデジタルカメラの回路構成を示すブロック図である。
光路切換器１０は、撮影レンズ２を通過して入射した被写体光の光路を、第１の撮像素子１２へ導く光路と、ミラー１１を介して第２の撮像素子１３へ導く光路に切り換える。光路切換器１０はミラーとミラー駆動機構を備えている。ミラー駆動機構は、ミラーの位置を第１位置と第２位置に切り換えることができる。ミラーが第１位置に配置されるときに、被写体光は第１の撮像素子１２に導かれる。ミラーが第２の位置に配置されるときに、被写体光は第２の撮像素子１３に導かれる。第１の撮像素子１２および第２の撮像素子１３は、画素に対応する複数の光電変換素子を備えたＣＣＤやＣＭＯＳイメージセンサによって構成される。第１の撮像素子１２および第２の撮像素子１３は、撮像面上に結像されている被写体像を撮像し、被写体像の明るさに応じたカラー光電変換信号を出力する。第１の撮像素子１２は、たとえば３００万画素の高感度の撮像素子である。第２の撮像素子１３は、たとえば５００万画素の低感度ではあるが高解像度の撮像素子である。第１の撮像素子１２および第２の撮像素子１３は、調整値などが書き込まれたメモリなどの周辺回路をそれぞれ備えている。なお、調整値は、撮像素子の感度、すなわちアナログゲインや、飽和信号量、フィルタの種類、有効画素数、有効画素のスタート位置など、撮像素子の特徴を示すデータである。
【０００８】
タイミングジェネレータ(TG)１６は、メインＣＰＵ２０から送出される指令に応じてタイミング信号を発生し、ドライバ１７、ＡＦＥ(Analog Front End)回路１４およびＡ／Ｄ変換回路１５のそれぞれにタイミング信号を供給する。ドライバ１７は、スイッチ２０ａを介して、第１の撮像素子１２もしくは第２の撮像素子１３に電荷を蓄積させ、蓄積電荷を掃き出させるための駆動信号を上記タイミング信号を用いて生成する。そして、ドライバ１７は、生成した駆動信号を第１の撮像素子１２または第２の撮像素子１３へ供給する。ＡＦＥ回路１４は、スイッチ２０ｂを介して第１の撮像素子１２または第２の撮像素子１３から出力される光電変換信号（蓄積電荷）に対するアナログ処理（ゲインコントロールなど）を行う。Ａ／Ｄ変換回路１５は、アナログ処理後の撮像信号をデジタル信号に変換する。
【０００９】
画像処理部１８は、たとえばＡＳＩＣとして構成され、第１の撮像素子１２または第２の撮像素子１３からの画像信号に対してホワイトバランス調整や彩度補正、階調補正などの画像処理を施す。メインＣＰＵ２０は、各ブロックから出力される信号を入力して所定の演算を行い、演算結果に基づく制御信号を各ブロックへ出力する。メインＣＰＵ２０は、画像処理部１８から入力した画像データをＪＰＥＧなどの所定の方式により圧縮処理を行い、ＥＸＩＦなどの形式で記録媒体２４へ記録する。また、メインＣＰＵ２０は、画像処理部１８から入力した画像データに基づいて算出された被写体の輝度および撮像感度（ＩＳＯ感度）に基づいて、シャッタスピードと撮影レンズ２の絞り値を演算する。メインＣＰＵ２０は、演算結果に基づいて画像データとモードダイヤル６で設定された撮影モードなどに応じて、第１の撮像素子１２または第２の撮像素子１３のいずれを使用するかを選択する。使用する撮像素子を選択すると、メインＣＰＵ２０は光路切換器１０に対して選択された撮像素子に対応する光路への切り換えを指示する信号を出力する。さらに、メインＣＰＵ２０は、選択された撮像素子とドライバ１７およびＡＦＥ回路１４が接続されるように、スイッチ２０ａ、２０ｂに対して切り換えを指示する信号を出力する。
【００１０】
バッファメモリ２１は、画像処理、画像圧縮処理および表示用画像データ作成処理の途中や処理後のデータを一時的に格納するために使用される。表示用画像データは、画像処理部１８が第１の撮像素子１２または第２の撮像素子１３からの出力に基づいて生成した画像データ、もしくは記録媒体２４に記録されている画像データに基づいて、メインＣＰＵ２０により生成される。生成された表示用画像データは、メインＣＰＵ２０によりバッファメモリ２１に格納される。液晶モニタ２３はＬＣＤ、モニタ駆動回路などによって構成されている。モニタ駆動回路はメインＣＰＵ２０からの指令に基づいて、バッファメモリ２１に格納された表示用画像データによる画像を液晶モニタ２３に表示する。
【００１１】
レリーズボタン４の押下操作に連動してオン／オフする半押しスイッチ４１および全押しスイッチ４２は、それぞれオン信号もしくはオフ信号をメインＣＰＵ２０へ出力する。
【００１２】
以下、メインＣＰＵ２０における撮像素子切換方法について説明する。
メインＣＰＵ２０は、モードダイヤル６により撮影モードがスポーツモードに設定されている場合や、被写体の動きベクトルが所定値以上と判定された場合に、被写体の動きに対応するために高感度の第１の撮像素子１２を選択する。メインＣＰＵ２０は、被写体の動きベクトルを、画像処理部１８から入力された複数枚撮像された画像データに基づいて算出する。また、メインＣＰＵ２０は、モードダイヤル６により夜景ポートレートモードが選択されている場合や、被写体輝度が所定値未満と判定された場合に、暗い被写体を撮影可能とするために高感度の第１の撮像素子１２を選択する。メインＣＰＵ２０は、被写体輝度を、画像処理部１８から入力した画像データに基づいて、撮像素子の全画素出力の平均を演算して求める。
【００１３】
メインＣＰＵ２０は、第１の撮像素子１２を選択すると、光路切換器１０へ光路切換信号を出力して、被写体光が第１の撮像素子１２へ入射するように光路を切り換える。そして、メインＣＰＵ２０は、スイッチ２０ａ、２０ｂを切り換えて第１の撮像素子１２、ドライバ１７およびＡＦＥ回路１４を接続する。さらに、メインＣＰＵ２０は第１の撮像素子１２から調整値を読み込む。メインＣＰＵ２０は、読み込んだ調整値に基づいて、第１の撮像素子１２の出力に乗じるアナログゲインを算出する。アナログゲインの値は、カメラの撮影感度（ＩＳＯ感度）に対応した値であり、たとえばＩＳＯ感度１００の場合は１．１（ｄＢ）、ＩＳＯ感度２００の場合は７．１（ｄＢ）のように設定されている。なお、第１の撮像素子１２を選択しない場合は、メインＣＰＵ２０は、第２の撮像素子１３を選択して、上述した処理と同様の処理を行なう。
【００１４】
以下で、図３、図４に示すフローチャートを用いて、メインＣＰＵ２０が実行する撮像素子を切り換える各処理について説明する。図３、図４の各処理を行なうプログラムはフラッシュメモリ（不図示）に格納されており、電源スイッチ３からオン信号が入力されると起動される。
ステップＳ１０１において、レリーズボタン４が半押し操作されたか否かを判定する。半押しスイッチ４１からオン信号を入力した場合、ステップＳ１０１が肯定判定されてステップＳ１０２へ進む。半押しスイッチ４２からオン信号を入力しない場合は、ステップＳ１０１が否定判定されて、ステップＳ１０１で待機する。
【００１５】
ステップＳ１０２においては、撮像素子選択のサブルーチンを呼び出す。サブルーチンにおける各処理の後、ステップＳ１０３へ進む。ステップＳ１０３においては、ステップＳ１０２のサブルーチンにおいて、第１の撮像素子１２を選択することが決定されたか否かを判定する。第１の撮像素子１２を選択すると決定された場合、すなわち後述のサブルーチンにおいてフラグｉが１に設定された場合には、ステップＳ１０３が肯定判定されてステップＳ１０４へ進む。第２の撮像素子１３を選択すると決定された場合、すなわち後述のサブルーチンにおいてフラグｉが０に設定された場合には、ステップＳ１０３が否定判定されてステップＳ１０７へ進む。
【００１６】
ステップＳ１０４において、第１の撮像素子１２が、現在選択中であるか否かを判定する。第１の撮像素子１２が選択中の場合、ステップＳ１０４が肯定判定されてステップＳ１１０へ進む。第１の撮像素子１２が選択中ではない場合、すなわち第２の撮像素子１３が選択中の場合は、ステップＳ１０４が否定判定されてステップＳ１０５へ進む。
【００１７】
ステップＳ１０５においては、光路切換器１０に対して光路切換を指示する信号を出力し、被写体光が第１の撮像素子１２へ入射するように光路を切り換える。さらにスイッチ２０ａ、２０ｂを切り換えて第１の撮像素子１２、ドライバ１７およびＡＦＥ回路１４を接続してステップＳ１０６へ進む。ステップＳ１０６においては、第１の撮像素子１２から調整値を読み込んでステップＳ１１０へ進む。
【００１８】
ステップＳ１０３が否定判定されて進んだステップＳ１０７においては、第２の撮像素子１３が、現在選択されているか否かを判定する。第２の撮像素子１３が選択されている場合、ステップＳ１０７が肯定判定されてステップＳ１１０へ進む。第２の撮像素子１３が選択されていない場合、すなわち第１の撮像素子１２が選択されている場合は、ステップＳ１０７が否定判定されてステップＳ１０８へ進む。
【００１９】
ステップＳ１０８においては、光路切換器１０に対して光路切換を指示する信号を出力し、被写体光が第２の撮像素子１３へ入射するように光路を切り換える。さらにスイッチ２０ａ、２０ｂを切り換えて第２の撮像素子１３、ドライバ１７およびＡＦＥ回路１４を接続してステップＳ１０９へ進む。ステップＳ１０９では、第２の撮像素子１３から調整値を読み込んでステップＳ１１０へ進む。
【００２０】
ステップＳ１１０においては、撮像した画像データに基づいて露出値などの撮影条件を設定してステップＳ１１１へ進む。ステップＳ１１１においては、レリーズボタン４が全押しされたか否かを判定する。全押しスイッチ４２からオン信号を入力した場合、ステップＳ１１１が肯定判定されてステップＳ１１２へ進む。ステップＳ１１２においては、撮影処理を行って一連の処理を終了する。全押しスイッチ４２からオン信号を入力しない場合、ステップＳ１１１が否定判定されてステップＳ１１３へ進む。
【００２１】
ステップＳ１１３においては、レリーズボタン４が半押し操作されたか否かを判定する。半押しスイッチ４１からオン信号を入力した場合、ステップＳ１１３が肯定判定されてステップＳ１１１へ戻る。半押しスイッチ４２からオン信号を入力しない場合は、ステップＳ１１３が否定判定されて、ステップＳ１０１へ戻る。
【００２２】
以下、図４に示すフローチャートを参照して、ステップＳ１０２における撮像素子選択のサブルーチンを説明する。
ステップＳ２０１において、モードダイヤル６で設定された撮影モードがスポーツモードもしくは夜景ポートレートモードであるか否かを判定する。スポーツモードか夜景ポートレートモードが設定されている場合、ステップＳ２０１が肯定判定されてステップＳ２０５へ進む。他の撮影モードが設定されている場合は、ステップＳ２０１が否定判定されてステップＳ２０２へ進む。
【００２３】
ステップＳ２０２においては、現在選択されている撮像素子により複数枚の画像を撮像してステップＳ２０３へ進む。ステップＳ２０３においては、ステップＳ２０２で撮像された複数の画像データを用いて、被写体の動きベクトルが所定値以上であるか否かを判定する。動きベクトルが所定値以上の場合、すなわち被写体が動体の場合、ステップＳ２０３が肯定判定されてステップＳ２０５へ進む。動きベクトルが所定値未満の場合、すなわち被写体が動体ではない場合、ステップＳ２０３が否定判定されてステップＳ２０４へ進む。
【００２４】
ステップＳ２０４においては、ステップＳ２０２で撮像された画像データを用いて、被写体の輝度を演算し、演算結果が所定値未満であるか否かを判定する。被写体輝度が所定値未満の場合、ステップＳ２０４が肯定判定されてステップＳ２０５へ進む。被写体輝度が所定値以上の場合は、ステップＳ２０４が否定判定されてステップＳ２０６へ進む。
【００２５】
ステップＳ２０５において、フラグｉを１に設定して、撮像素子選択のサブルーチンを抜けて呼び出し元へ戻る。ステップＳ２０６においては、フラグｉを０に設定して、撮像素子選択のサブルーチンを抜けて呼び出し元へ戻る。フラグｉが１のとき、低画素数ではあるが感度が高い第１の撮像素子１２が選択されて、フラグｉが０のとき、低感度ではあるが高画素数、高解像度の第２の撮像素子１３が選択される。
【００２６】
以上で説明した第一の実施形態によるデジタルカメラによれば、以下の作用効果が得られる。
（１）撮像素子を選択する際の選択条件に基づいて光路切換器１０により光路を切り換えることにより、撮影に用いる撮像素子を高感度である第１の撮像素子１２と、低感度（高解像度）である第２の撮像素子１３のいずれかを選択して切り換えることができる。撮像素子の選択条件は、スポーツモードまたは夜景ポートレートモードが設定されていること、すなわち撮影モードの種類と、被写体の動きベクトルが所定値以上、すなわち被写体が動体であるか否かと、被写体の輝度とした。したがって、スポーツシーンや夜景などの撮影時には高感度の第１の撮像素子１２へ切り換えられるので、スポーツシーンでは、より高速なシャッタ秒時で撮影することができ、ブレのない動体写真を撮ることができる。また、夜景では、輝度のより低い被写体に対して低ノイズの写真を撮ることができる。すなわち、撮影目的に適した撮像素子を使用することができる。
【００２７】
（２）第１の撮像素子１２と第２の撮像素子１３との切り換え後に、選択された撮像素子の調整値を読み込み、露出値などの撮影条件を設定するようにした。したがって、撮像素子が切り換えられても、調整作業等を行なうことなく撮像素子に応じた撮影条件の設定および撮影を行なうことができるので、利便性が増す。
【００２８】
−第二の実施形態−
第二の実施形態におけるデジタルカメラは、複数の撮像素子が撮影者により交換可能に設けられ、撮像素子を選択する際の選択条件に応じて適切な撮像素子への交換を撮影者に促すようにしたものである。
図５（ａ）に第二の実施の形態におけるデジタルカメラの背面斜視図を示す。第一の実施の形態によるカメラと同一の構成要素については、同一の符号を付与し、第一の実施の形態のデジタルカメラとの相違点を主に説明する。カメラ本体１には、裏蓋５０が撮影者により交換可能に装着されている。裏蓋５０の内側には、図５（ｂ）に示すように、撮像素子５１と、撮像素子５１の周辺回路５２とが設けられている。撮像素子５１は、たとえば３００万画素を有する高感度の撮像素子である。周辺回路５２は、撮像素子５１に対する調整値などが書き込まれたメモリ５３を含んで構成される。また、撮像素子５１と外形の等しい交換用の撮像素子６１は、裏蓋６０の内側に周辺回路６２とともに配置されている。撮像素子６１は、たとえば５００万画素を有する低感度、高解像度の撮像素子である。周辺回路６２には、撮像素子６１に対する調整値などが書き込まれたメモリ６３を含む。
【００２９】
図６は第二の実施の形態のデジタルカメラの回路構成を示すブロック図である。なお、カメラ本体１には、撮像素子６１が装着されているものとして説明を行なう。第２図との相違点は、光路切換器１０およびスイッチ２０ａ、２０ｂを省略している点と、一つの撮像素子のみが取り付けられている点である。
電源スイッチ３がオン操作されると、メインＣＰＵ２０は取り付けられた撮像素子に応じて撮像回路の設定を行なう。撮像回路の設定として、まず、メインＣＰＵ２０はメモリ６３から撮像素子６１に対する調整値を読み込む。この調整値に基づいて、メインＣＰＵ２０は撮像素子６１が出力するカラー光電変換信号に対する増幅率を決定する。
【００３０】
メインＣＰＵ２０は、撮像素子の飽和状態を表示する処理を行なう。飽和状態表示処理として、メインＣＰＵ２０は、撮像素子６１の飽和信号量と、出力信号の大きさとして全画素の平均値とを算出する。そして、メインＣＰＵ２０は、図７に示すように撮像素子６１の出力信号の大きさと飽和信号量とを示すバーグラフ１００を、液晶モニタ２３に表示中の撮影画像に重畳して表示する。バーグラフ１００の全長が撮像素子６１の飽和信号量１００パーセントを示し、黒色で示す領域は飽和信号量に対する撮像素子６１の出力信号の大きさの割合を示す。撮影者は、バーグラフ１００の側面に付与された目盛１０１と黒色で示す領域との位置関係と、撮影画像の状態とを目安として、撮像素子６１の飽和信号量に対する出力信号を把握して、撮像素子の交換を判断することができる。
【００３１】
一方、メインＣＰＵ２０は、上述したように、モードダイヤル６により撮影モードがスポーツモードに設定されている場合や、被写体の動きベクトルが所定値以上と判定された場合に、被写体の動きに対応するために高感度の撮像素子５１への交換を促す、たとえば「高感度の撮像素子への交換をお勧めします」などのメッセージを液晶モニタ２３に表示する。また、メインＣＰＵ２０は、モードダイヤル６により夜景ポートレートモードが選択されている場合や、被写体輝度が所定値未満と判定された場合に、暗い被写体を撮影可能とするために高感度の撮像素子２１への交換を促すメッセージを液晶モニタ２３に表示する。
【００３２】
上述したバーグラフ１００やメッセージに基づいて、撮影者が撮像素子５１に交換した場合、交換が終了して電源スイッチ３がオン操作されると、メインＣＰＵ２０は撮像素子５１に対して上述した撮像素子に応じた撮像回路の設定と飽和状態表示処理を行なう。
【００３３】
次に、図８に示すフローチャートを用いて、メインＣＰＵ２０が実行する撮像素子の交換を促す各処理について説明する。図８の各処理を行なうプログラムはフラッシュメモリ（不図示）に格納されており、電源スイッチ３からオン信号が入力されると起動される。
ステップＳ３０１において、メモリ５３もしくは６３から調整値を読み込む。そして、調整値に基づいて撮像素子の出力に乗じるアナログゲインを算出しステップＳ３０２へ進む。ステップＳ３０２において、レリーズボタン４が半押し操作されたか否かを判定する。半押しスイッチ４１からオン信号を入力した場合、ステップＳ３０２が肯定判定されてステップＳ３０３へ進む。半押しスイッチ４２からオン信号を入力しない場合は、ステップＳ３０２が否定判定されて、ステップＳ３０２で待機する。
【００３４】
ステップＳ３０３においては、液晶モニタ２３にバーグラフ１００を表示してステップＳ３０４へ進む。ステップＳ３０４においては、第一の実施の形態で用いた図４に示す撮像素子選択のサブルーチンを読み出す。前述した撮像素子選択のサブルーチンにおける各処理が終了するとステップＳ３０５へ進む。
【００３５】
ステップＳ３０５においては、ステップＳ３０４のサブルーチンにおいて、撮像素子５１を選択することが決定されたか否かを判定する。撮像素子５１を選択すると決定された場合、すなわちサブルーチンにおいてフラグｉが１に設定された場合には、ステップＳ３０５が肯定判定されてステップＳ３０６へ進む。撮像素子６１を選択すると決定された場合、すなわちサブルーチンにおいてフラグｉが０に設定されている場合には、ステップＳ３０５が否定判定されてステップＳ３０７へ進む。
【００３６】
ステップＳ３０６においては、撮像素子５１が装着中であるか否かを判定する。撮像素子５１が装着中の場合、ステップＳ３０６が肯定判定されてステップＳ３１０へ進む。撮像素子５１が装着中ではない場合、すなわち撮像素子６１が装着中の場合は、ステップＳ３０６が否定判定されてステップＳ３０８へ進む。
【００３７】
ステップＳ３０７においては、撮像素子６１が装着中であるか否かを判定する。撮像素子６１が装着中の場合、ステップＳ３０７が肯定判定されてステップＳ３１０へ進む。撮像素子６１が装着中ではない場合、すなわち撮像素子５１が装着中の場合は、ステップＳ３０７が否定判定されてステップＳ３０９へ進む。
【００３８】
ステップＳ３０８においては、液晶モニタ２３に撮像素子交換を促すメッセージを表示してステップＳ３１０へ進む。ステップＳ３０９において、ステップＳ３０８と同様に撮像素子交換を促すメッセージを液晶モニタ２３に表示してステップＳ３１０へ進む。
【００３９】
ステップＳ３１０においては、レリーズボタン４が全押しされたか否かを判定する。全押しスイッチ４２からオン信号を入力した場合、ステップＳ３１０が肯定判定されてステップＳ３１１へ進む。ステップＳ３１１においては、撮影処理を行って一連の処理を終了する。全押しスイッチ４２からオン信号を入力しない場合、ステップＳ３１０が否定判定されてステップＳ３１２へ進む。
【００４０】
ステップＳ３１２においては、レリーズボタン４が半押し操作されたか否かを判定する。半押しスイッチ４１からオン信号を入力した場合、ステップＳ３１２が肯定判定されてステップＳ３１０へ戻る。半押しスイッチ４２からオン信号を入力しない場合は、ステップＳ３１２が否定判定されて、ステップＳ３０２へ戻る。
【００４１】
以上で説明した第二の実施形態によるデジタルカメラによれば、以下の作用効果が得られる。
（１）裏蓋５０に設置された高感度の撮像素子５１と、裏蓋６０に設置された低感度（高解像度）の撮像素子６１とを交換可能とし、撮像素子の選択条件の判定結果に基づいて、撮影者に対して、撮像素子５１および６１のいずれかに交換を促すようにした。したがって、撮影者は、撮像素子交換の判断基準を得ることができるとともに、撮影者自身の判断に基づいて撮像素子を交換することができるので、利便性が向上する。
【００４２】
（２）液晶モニタ２３に表示されたメッセージにより、撮像素子５１または６１の交換を促すようにした。したがって、撮影者はメッセージにより撮像素子を交換するべきか否かを判断して、撮影目的に適した撮像素子の交換を行ないながら撮影することができるので、使い勝手が増す。
【００４３】
（３）撮像素子の出力信号の大きさと飽和信号量とを示すバーグラフ１００と目盛１０１とを、液晶モニタ２３に表示するようにした。したがって、撮影者は、バーグラフ１００と撮影画像の状態とに基づいて、撮像素子の交換の目安を判断することができるので、所望の画像が撮影可能になる。
【００４４】
以上で説明した実施の形態におけるカメラを、以下のように変形できる。
（１）撮像素子の選択条件として被写体が動体であるか否かを判定基準の一要素とするものに代えて、手振れによるカメラ本体１の振動の有無を判定基準の一要素に加えてもよい。この場合、カメラはジャイロセンサを備え、カメラ本体１のピッチ方向、およびヨウ方向への振動、すなわち手振れによるカメラ本体１の振動の大きさを検出する。メインＣＰＵ２０は、ジャイロセンサからの出力値と、シャッタ速度と、焦点距離とに基づいて、手振れの影響の大小を判定する。なお、ジャイロセンサからの出力値、シャッタ速度および焦点距離と、手振れの影響の大小との関係は、テーブルなどの形式でフラッシュメモリ内の所定の領域に記録されている。
【００４５】
この場合のメインＣＰＵ２０で実行される撮像素子選択処理を、図９に示すフローチャートを用いて、図４のフローチャートとの相違点を主に説明する。
ステップＳ２０１において、モードダイヤル６で設定された撮影モードがスポーツモードもしくは夜景ポートレートモードでない場合は、ステップＳ２０１が否定判定されてステップＳ４０１へ進む。ステップＳ４０１において、前述したようにして、手振れによる像ぶれの影響が大きいか否かを判定する。手振れによる影響が大きいと判定された場合は、ステップＳ４０１が肯定判定されてステップＳ２０５へ進む。手振れによる影響が少ないと判定された場合は、ステップＳ４０１が否定判定されてステップＳ２０４へ進む。
【００４６】
（２）第二の実施の形態において、撮像素子５１および６１は裏蓋５０および６０ごと交換するものとしたが、裏蓋や撮影レンズ２を取り外してから、撮像素子のみを交換可能に設置するものでもよい。
【００４７】
（３）撮像素子の選択条件を判定する際に、撮像素子の全画素出力の平均を演算して求めた被写体輝度を用いたが、画像中央部の所定範囲の画素出力に所定の重み付けを行い、画像中央部に重点を置いて輝度を演算してもよい。
【００４８】
（４）第一の実施の形態において、光路切換器１０により第１の撮像素子１２または第２の撮像素子１３に導かれる光路を切り換えるものに代えて、ハーフミラーにより第１の撮像素子１２および第２の撮像素子１３に同時に被写体光を導き、選択条件の判定結果に基づいて、いずれか一方からの撮像信号を選択してもよい。
【００４９】
また、本発明は上記実施の形態に限定されるものではなく、本発明の特徴を損なわない限り、本発明の技術的思想の範囲内で考えられるその他の形態についても、本発明の範囲内に含まれる。
【図面の簡単な説明】
【００５０】
【図１】本発明の実施の形態によるカメラの外観図であり、（ａ）は前面斜視図を示し、（ｂ）は背面斜視図を示す。
【図２】第一の実施の形態によるカメラの回路構成を説明するブロック図である。
【図３】第一の実施の形態によるカメラの動作を説明するフローチャートである。
【図４】第一の実施の形態によるカメラの撮像素子選択処理を説明するフローチャートである。
【図５】第二の実施の形態によるカメラの外観図であり、（ａ）は前面斜視図を示し、（ｂ）は交換可能な裏蓋の内側を示す。
【図６】第二の実施の形態によるカメラの回路構成を説明するブロック図である。
【図７】撮像素子交換を促すバーグラフの一例を示す図である。
【図８】第二の実施の形態によるカメラの動作を説明するフローチャートである。
【図９】本発明の変形例によるカメラの撮像素子選択処理を説明するフローチャートである。
【符号の説明】
【００５１】
１０  光路切換器        １２  第１の撮像素子      １３  第２の撮像素子
２０  メインＣＰＵ      ５０、６０  裏蓋          ５１、６１  撮像素子
５２、６２  周辺回路    １００  バーグラフ
【図１】
2008042806.tif 000003
【図２】
2008042806.tif 000004
【図３】
2008042806.tif 000005
【図４】
2008042806.tif 000006
【図５】
2008042806.tif 000007
【図６】
2008042806.tif 000008
【図７】
2008042806.tif 000009
【図８】
2008042806.tif 000010
【図９】
2008042806.tif 000011